(57)【要約】【課題】  遊技機枠の開閉枠の裏面と遊技機枠内に設けられる電気的な表示器の前面との間に隙間の生じることを防止可能な遊技機を提供する。【解決手段】  遊技機枠が、前方に開口した遊技機枠本体と、遊技機枠本体にヒンジで着脱可能かつ遊技機枠本体の前方の開口を塞ぐように開閉可能に取付けられた開閉枠３と、開閉枠に設けられた視認領域４０ａとを備え、電気的な表示器（液晶表示器１１）が遊技機枠本体の内部に弾性的に支持され、閉じられた開閉枠３の視認領域４０ａ周りの裏面４０ｂと表示器の前面（ケーシングの前面２１ａ）との接触が上記弾性的な支持により維持された。【選択図】        図１
2005177361.tif 000002
【特許請求の範囲】
【請求項１】
遊技機枠が、前方に開口した遊技機枠本体と、遊技機枠本体にヒンジで着脱可能かつ遊技機枠本体の前方の開口を塞ぐように開閉可能に取付けられた開閉枠と、開閉枠に設けられた視認領域とを備え、電気的な表示器が遊技機枠本体の内部に弾性的に支持され、閉じられた開閉枠の視認領域周りの裏面と表示器の前面との接触が上記弾性的な支持により維持されたことを特徴とする遊技機。
【請求項２】
遊技機本体の前面に遊技機枠本体の前方に突出するガイド軸を設け、ガイド軸の前端からガイド軸の外周を包囲するようにコイルスプリングを装着し、電気的な表示器にはガイド軸の貫通する貫通孔を備えた取付部を設け、コイルスプリングを装着したガイド軸の前端が取付部の貫通孔を貫通して貫通孔より前方に位置されて当該ガイド軸の前端に抜止材が取付けられ、電気的な表示器が取付部によりガイド軸の軸に沿って前後移動可能でかつコイルスプリングにより弾性的に支持されたことを特徴とする請求項１に記載の遊技機。
【発明の詳細な説明】
【技術分野】
【０００１】
本発明は遊技機枠の開閉枠の裏面と遊技機枠内に設けられる電気的な表示器の前面との間に隙間の生じることを防止可能な遊技機に関する。
【背景技術】
【０００２】
スロットマシンやパチンコ機等の遊技機において、遊技機枠が、前方に開口した遊技機枠本体と、遊技機枠本体にヒンジで着脱可能かつ遊技機枠本体の前方の開口を塞ぐように開閉可能に取付けられた開閉枠と、液晶パネルを電気的に制御して液晶パネル表示面に画像を表示する電気的な表示器である液晶表示器を装備した表示ユニットとを備え、表示ユニットを遊技機枠本体内に着脱可能に備えたものが知られている。開閉枠には液晶表示器の前面に設けられる液晶パネル表示面を遊技者側から視認可能とするために透過性パネルで形成された視認領域が設けられる。
【特許文献１】特開２００３−１０３８４号公報
【発明の開示】
【発明が解決しようとする課題】
【０００３】
特許文献１では、開閉枠が閉じられた場合に、開閉枠の精度により、液晶表示器の前面と開閉枠の視認領域の裏面とが接触する箇所と接触しない箇所とが生じる場合がある。即ち、液晶表示器の前面と開閉枠の視認領域の裏面と間に隙間の生じる箇所と隙間の生じない箇所とが生じる場合があり、好ましくない。
【課題を解決するための手段】
【０００４】
本発明の遊技機は、遊技機枠が、前方に開口した遊技機枠本体と、遊技機枠本体にヒンジで着脱可能かつ遊技機枠本体の前方の開口を塞ぐように開閉可能に取付けられた開閉枠と、開閉枠に設けられた視認領域とを備え、電気的な表示器が遊技機枠本体の内部に弾性的に支持され、閉じられた開閉枠の視認領域周りの裏面と表示器の前面との接触が上記弾性的な支持により維持されたことを最も特徴とする。遊技機本体の前面に遊技機枠本体の前方に突出するガイド軸を設け、ガイド軸の前端からガイド軸の外周を包囲するようにコイルスプリングを装着し、電気的な表示器にはガイド軸の貫通する貫通孔を備えた取付部を設け、コイルスプリングを装着したガイド軸の前端が取付部の貫通孔を貫通して貫通孔より前方に位置されて当該ガイド軸の前端に抜止材が取付けられ、電気的な表示器が取付部によりガイド軸の軸に沿って前後移動可能でかつコイルスプリングにより弾性的に支持されたことも特徴とする。
【発明の効果】
【０００５】
本発明によれば、遊技機枠の開閉枠が閉じられた状態において、電気的な表示器が遊技機枠本体の内部に弾性的に支持されたことにより、開閉枠の視認領域周りの裏面と遊技機枠本体内に設けられる電気的な表示器の前面との間に隙間を生じることなく開閉枠の視認領域周りの裏面と電気的な表示器の前面との接触を維持できる。また、電気的な表示器をガイド軸に沿って前後に移動可能としたので、表示器がスムーズに前後に移動し、コイルスプリングが表示器を前方に付勢して表示器の前面を開閉枠の視認領域周りの裏面に確実に接触させることができる。
【発明を実施するための最良の形態】
【０００６】
図１−図５は第１実施形態を示す。図１はスロットマシンの遊技枠本体の内部に設けられた液晶表示器の前面と開閉枠の視認領域の裏面との関係を示し、図１のａ図は開閉枠の開いている場合を示し、図１のｂ図は開閉枠の閉じている場合を示す。図２はスロットマシンの遊技機枠本体と表示ユニットと開閉枠とを分解して示し、図３はスロットマシンを前側から示し、図４はスロットマシンの開閉枠を開いた状態を示し、図５は液晶表示器の取付構造を分解して示す。
【０００７】
図２；図３を参照し、スロットマシンの遊技機枠について説明する。遊技機枠１は、前方に開口した遊技機枠本体２と、開閉枠３とを備える。遊技機枠本体２の左縁前面及び開閉枠３の左縁裏面には一対の凹凸係合によるヒンジ４が上下に設けられる（図４参照）。開閉枠３は、上下のヒンジ４；４により遊技機本体２に着脱可能で、かつ、遊技技機枠本体２の前方の開口５を塞ぐように片開き開閉可能に取付けられる。遊技機枠本体２は、上部に表示ユニット６を着脱可能な上収納部７を備える。表示ユニット６は、枠組された枠フレーム８の下に底板９を備えた枠体１０により形成され、電気的な表示器としての液晶表示器１１と、回胴表示装置１２と、制御装置１３とを搭載する。枠体１０の前面上方には液晶表示器１１が取り付けられる。枠体１０の底板９には回胴表示装置１２が取り付けられて当該回胴表示装置１２が枠体１０の内部に設置される。枠体１０の後部の枠フレーム８には制御装置１３が取り付けられる。表示ユニット６は、底板９の後部下の両側に設けられた位置決め材１４；１４を上収納部７の底板１５上の奥の両側に設けられた位置決め部１６；１６に係合させることにより上収納部７の底板１５上に設置される。
【０００８】
図５にも示すように、液晶表示器１１は、四角の箱状のケーシング２０内に液晶パネル表示面２１を形成する液晶パネル２２と図外の液晶パネル駆動部とを備えて構成される。ケーシング２０の前面２１ａには開口部２３が形成され、開口部２３を塞ぐように開口部２３の内側に液晶パネル２２が取付られて、液晶表示器１１の前面１１Ａに液晶パネル表示面２１が形成される。よって、液晶表示器の前面１１Ａは、液晶パネル表示面２１とこの液晶パネル表示面２１の周囲の前方に位置するケーシング２０の前面２１ａとで形成される。ケーシング２０の上面２０ａ及び下面２０ｂには、この上面２０ａ、下面２０ｂより互いに上下に突出して液晶表示器１１の前面１１Ａと平行に延長する取付板２４；２４を備える。取付板２４は液晶表示器１１の前面１１Ａと平行な平板からなる。上下の取付板２４の左右の側縁側には貫通孔２５；２５が形成される。枠体１０の上部の２本の横フレーム２６；２６の前面２６ａ；２６ａには、前方に突出するガイド軸２７；２７が２本ずつ設けられる。即ち、遊技機本体２の前面を形成する横フレーム２６の前面２６ａに遊技機枠本体２の前方に突出するガイド軸２７備える。ガイド軸２７；２７は取付板２４の左右に形成された貫通孔２５；２５間の間隔に対応する間隔を隔てて横フレーム２６の前面２６ａに形成される。ガイド軸２７は前端２７ａより軸の中心に沿って延長する中空部２８を有する。取付板２４に形成された貫通孔２５の孔径はガイド軸２７の直径よりも大きく形成される。例えば、この貫通孔２５の孔径はガイド軸２７の直径の２倍程度である。
【０００９】
図５を参照し、液晶表示器１１の取付方法を説明する。まず、コイルスプリング２９のコイル孔内にガイド軸２７を挿入する。即ち、ガイド軸２７の外周がコイルスプリング２９で包囲されるようにガイド軸２７の前端２７ａからガイド軸２７にコイルスプリング２９を装着し、コイルスプリング２９を装着した後に、液晶表示器１１のケーシング２０の取付板２４に形成された貫通孔２５をガイド軸２７の前端２７ａからガイド軸２７に通し、ガイド軸２７の前端２７ａ側を貫通孔２５より前方に位置させた状態で抜止材としての抜止輪３０をガイド軸２７の前端２７ａに取付ける。抜止輪３０の外径は貫通孔２５の孔径より大きい。抜止輪３０の取付けは、タッピングスクリューのような止ねじ３１を抜止輪３０の孔３０ａに通した後に、止ねじ３１をガイド軸２７の前端２７ａから中空部２８にねじ込んで中空部２８に止ねじ３１を締結する。抜止材はガイド軸２７の前端２７ａに接着剤で固定してもよいが、止ねじ３１で取付けることにより、ガイド軸２７に対する液晶表示器１１の着脱を容易にできる。以上により、液晶表示器１１の取付板２４がガイド軸２７に軸に沿った方向である前後方向に移動可能でかつコイルスプリング２９で前方に付勢された状態にガイド軸２７に取り付けられる。よって、液晶表示器１１がガイド軸２７に軸に沿った方向である前後方向に移動可能でかつコイルスプリング２９で前方に付勢された状態に弾性支持される。また、貫通孔２８の孔径はガイド軸２７の直径よりも大きく形成されているので、液晶表示器１１の前面１１Ａが垂直に対して傾斜可能である。従って、開閉枠３の閉じられた状態で開閉枠３の視認領域４０ａ周りの裏面４０ｂが傾いているような場合であっても、コイルスプリング２９が、その弾性により取付板２４を前方に付勢し、開閉枠３の視認領域４０ａ周りの裏面４０ｂと液晶表示器１１の前面１１Ａにおけるケーシング２０の前面２１ａとが隙間なく接触し、密着する。また、貫通孔２５の孔径より外周径の大きな抜止輪３０がガイド軸２７の前端２７ａに取り付けられることによって液晶表示器１１の取付板２４のガイド軸２７からの脱落を防止する。
【００１０】
図２；図３に戻り、回胴表示装置１２は、複数の図柄を所定の間隔を隔てて周方向に備えた回胴リール３２と回胴リール３２を回転させる図外のステップモータと回胴リール３２の角度情報を検出する図外エンコーダとで構成されたリールユニットを３つ備えている。回胴リール３２は、図に示すドラム状のリール３３の外周に複数の図柄を有するリールテープ３４を巻き付けたり複数の図柄を印刷等した形態のものや、図外の駆動リールと従動リールとに複数の図柄を有する輪状のリールテープを巻き掛けた形態のものなどがある。
【００１１】
開閉枠３は、前面上部に遮蔽パネル３５、前面中部に操作部３６、前面下部に皿構造体３７を備える。遮蔽パネル３５には黒色系印刷または黒色系塗料で形成された遮光性被膜により図柄等の意匠が施されていて、遮蔽パネル３５の前方から遮蔽パネル３５の後方を視認できない遮蔽領域３５ａが形成される。遮蔽パネル３５には上部開口部３８と中央開口部３９とが形成される。上部開口部３８には、透過性を有するパネル４０を取付けたパネル保持枠４１が嵌め込まれ、このパネル保持枠４１が止ねじ４２で遮蔽パネル３５の前面３５ｂに取り付けられる（図１参照）。上収納部７に表示ユニット６を収納した遊技機枠本体２に向けて開閉枠３が閉じられた場合に透過性パネル４０が液晶表示器１１の液晶パネル表示面２１の前方に位置して遮蔽パネル３５の前方から液晶パネル表示面２１を視認可能とする視認領域４０ａを形成する。図示しないが、中央開口部３９にも上部開口部３８と同様に回胴表示装置１２の回胴リール３２のリールテープ３４の図柄を遮蔽パネル３５の前方から視認可能とする視認領域が形成される。遮蔽パネル３５の前面３５ｂの周囲にはランプ飾り４５を備える。遮蔽パネル３５の下中央部には遮蔽パネル３５の黒色系印刷または黒色系塗料で形成された遮光性被膜が抜かれて３つの視認領域４６；４７；４８が形成される。３つの視認領域の裏には、図外のセグメント表示器が設けられ、右側からクレジット数表示部、ボーナス消化表示部、賞払出数表示部が形成される。
【００１２】
操作部３６の上面４９の左にはメダル１枚掛け（１ＢＥＴ）投入ボタンスイッチ５０、メダル２枚掛け（２ＢＥＴ）投入ボタンスイッチ５１、メダル３枚掛け（ＭＡＸＢＥＴ）投入ボタンスイッチ５２が設けられる。操作部３６の上面４９の右側にはメダル投入部５３が設けられる。操作部３６の前面５４の上部左側にはスタートレバースイッチ５５、クレジット精算ボタンスイッチ５６が設けられる。操作部３６の前面５４の中央には、第１図柄停止ボタンスイッチ５７、第２図柄停止ボタンスイッチ５８、第３図柄停止ボタンスイッチ５９が設けられる。操作部３６の前面５４の右側には錠６０が設けられ、この錠６０に図外の専用の鉤を差し込んで左に回動することにより、開閉枠３と遊技機枠本体２とのロックレバー６１とロック片６２との係合が解除されて、開閉枠３がヒンジ４；４を支点として片開き可能となる。開閉枠３を遊技機枠本体２の前面に押し付けることでロックレバー６１とロック片６２とが係合し、開閉枠３が閉じられる。皿構造体３７は、左側に灰皿６３、右側にビンなどを受ける皿６４、中央にメダル受け皿６５を有する。遊技機枠本体２の下部収納部６６には、ホッパ（メダルタンク）６７と補助ホッパ６８とが収納される。上収納部７の底板１５の下には電源部６９が設けられる。電源部６９の前面には電源スイッチ７０、当たり確率設定スイッチ７１が設けられる。
【００１３】
図４に示すように、開閉枠３の裏面７２には、メダル投入口５３より投入されたメダルをホッパ６７に排出するメダル樋７３、ホッパ６７のメダル払出口７４に連接されてメダル払出口７４から払出されたメダルを受けるメダル受口７５、メダル受口７５からメダル受け皿にメダルを導くメダル樋７６、スピーカ７７などが設けられる。また、遮蔽パネル３５の裏面３５ｂの下中央には、上述したクレジット数表示部、ボーナス消化表示部、賞払出数表示部を形成する図外のセグメント表示器が搭載される基板７８が取付けられる。
【００１４】
スロットマシンの遊技制御について説明する。制御装置１３が電力供給を受けて起動し、人がメダル投入口５３よりメダルを投入してスタートレバースイッチ５５を操作してスタート開始を指示すると、制御装置１３はスタートレバースイッチ５５からの開始信号により当たり外れ抽選を行うとともに、回胴表示装置１２の回胴リール３２を回転させ、液晶パネル表示面２１に演出画像を表示する。制御装置１３は当たり外れ抽選による当たり又は外れの抽選結果を記憶部に記憶する。そして、人が図柄停止ボタンスイッチ５７；５８；５９を操作してこれらスイッチを投入することによって制御装置１３はこれらスイッチからの停止信号を入力して、回胴リール３２を停止させる。この際、当たり外れ抽選の抽選結果が当たりであれば、液晶表示器１１の液晶パネル表示面２１に当たりの演出画像を表示するとともに、制御装置１３は人の図柄停止ボタンスイッチ部５７；５８；５９の操作によるこれらスイッチからの停止信号を所定のタイミングで入力すると、回胴リール３２を当たり図柄で停止させる。当たり外れ抽選の抽選結果が外れであれば、液晶表示器１１の液晶パネル表示面２１に外れの演出画像を表示するとともに、制御装置１３は人の図柄停止ボタンスイッチ部５７；５８；５９の操作によるこれらスイッチからの停止信号を入力して、各回胴リール３２を外れ図柄で停止させる。
【００１５】
図１を参照し、第１実施形態の作用を説明する。図１のａ図に示すように、開閉体３が開かれた状態では、液晶表示器１１はコイルスプリング２９で前方に付勢され、かつ、抜止輪３０により、取付板２４の前面が規制されていて取付板２４がガイド軸２７より外れないので、ガイド軸２７からの液晶表示器１１の脱落を防止する。開閉枠３を閉じていくと、液晶表示器１１のケーシング２０の前面２１ａが開閉枠３の視認領域４０の裏面４０ｂで押されて液晶表示器１１の取付板２４がコイルスプリング２９のばね力に抗してガイド軸２７にガイドされながら後方に移動する。そして、開閉体３がロックレバー６１とロック片６２との係合により完全に閉じられると、図１のｂ図に示すように、コイルスプリング２９が液晶表示器１１の取付板２４を前方に付勢して、液晶表示器１１を前方に移動させる。これにより、液晶表示器１１のケーシング２０の前面２１ａが開閉枠３の視認領域４０周りの裏面４０ｂに隙間なく接触（密着）し、この接触状態が維持される。この場合、ガイド軸２７の外周径と取付板２４の貫通孔の内周との間に隙間があるので、たとえ、開閉枠３のの視認領域４０周りの裏面４０ｂが傾いていても、液晶表示器１１のケーシング２０の前面２１ａがコイルスプリング２９による弾性支持によって傾いて開閉枠３の視認領域４０の裏面４０ｂと隙間なく接触する。
【００１６】
図６は第２実施形態を示す。第２実施形態では、図６に示すように、開閉枠３の視認領域４０ａ周りに設けられたパネル保持枠４１の裏面４１ｂと液晶表示器１１のケーシング２０の前面２１ａとを接触させるようにすれば、視認領域４０ａを通してケーシング２０の前面２１ａを見えないように隠すことができ、液晶パネル表示面２１をすっきりと見せることができる。
【産業上の利用可能性】
【００１７】
上記では、電気的な表示器として液晶表示器１１を例にして説明したが、電気的な表示器としては、電気的に制御される表示画面を有し電気的に表示画面に表示する画像を変えられる表示器であれば、その他の形式の表示器でもよい。
表示画面全体が表示器の前面を構成する電気的な表示器の場合は、この表示画面と開閉枠３の視認領域４０ｂ周りの裏面とを接触させてもよい。
また、上記ではスロットマシンを例にして説明したが、本発明は、スロットマシンの他、遊技球を遊技媒体として使用するパチンコ機、パロット機等の遊技機にも適用することができる。
【図面の簡単な説明】
【００１８】
【図１】スロットマシンの遊技枠本体の内部に設けられた液晶表示器の前面と開閉枠の視認領域の裏面との関係を示し、ａ図は開閉枠の開いている状態を示した端面図、ｂ図は開閉枠の閉じている状態を示した端面図（第１実施形態）。
【図２】スロットマシンの遊技機枠本体と表示ユニットと開閉枠とを分解した分解斜視図（第１実施形態）。
【図３】スロットマシンを前側から示した斜視図（第１実施形態）。
【図４】スロットマシンの開閉枠を開いた状態を示した斜視図（第１実施形態）。
【図５】液晶表示器の取付構造を示す分解斜視図（第１実施形態）。
【図６】開閉枠の閉じている状態を示した端面図（第２実施形態）。
【符号の説明】
【００１９】
１  遊技機枠、２  遊技機枠本体、３  開閉枠、４  ヒンジ、１１  液晶表示器（電気的な表示器）、１１Ａ  液晶表示器の前面（表示器の前面）、２１ａ  ケーシングの前面（表示器の前面）、２４  取付板（取付部）、２５  貫通孔、２７  ガイド軸、２７ａ  ガイド軸の前端、２９  コイルスプリング、３０  抜止輪（抜止材）、４０ａ  視認領域、４０ｂ  視認領域周りの裏面。
【図１】
2005177361.tif 000003
【図２】
2005177361.tif 000004
【図３】
2005177361.tif 000005
【図４】
2005177361.tif 000006
【図５】
2005177361.tif 000007
【図６】
2005177361.tif 000008